(57)【特許請求の範囲】
【請求項１】
扁平状の発熱体と、該発熱体の両面を含む全体を被覆する被覆材と、該被覆材の一面の外面に配された繊維材料を含む薬剤保持用シートとを備えた顔用温熱具であって、
前記被覆材と前記薬剤保持用シートとは、前記発熱体上において、多数の接合部にて接合されており、
前記多数の接合部の接合面積率は、前記顔用温熱具の前記薬剤保持用シート全体に対して、３〜５０％であり、
多数の前記接合部は、熱エンボスにより形成されており、
前記薬剤保持用シートは、熱融着性繊維をコットンに混綿したスパンレース不織布であり、
前記薬剤保持用シートが外面に配された前記被覆材は、非透水性のシート材である顔用温熱具。
【請求項２】
多数の前記接合部は、規則的に散点状に配されている請求項１に記載の顔用温熱具。
【請求項３】
前記薬剤保持用シートは、その構成繊維の配向方向が、前記顔用温熱具の幅の最も広い位置を通る仮想直線の傾斜方向と略一致している請求項１又は２に記載の顔用温熱具。
【請求項４】
請求項１〜３の何れか１項に記載の一対の顔用温熱具と、使用時に使用者の両目の周囲を被覆する横長のマスク本体とを備え、一対の前記顔用温熱具それぞれが、前記マスク本体の肌当接面における前記使用者の両目それぞれの目元に対応する部分に配されている顔用温熱マスク。
【発明の詳細な説明】
【技術分野】
【０００１】
本発明は、目元等の顔面の所望の部位に熱を付与する顔用温熱具に関する。
【背景技術】
【０００２】
従来、皮膚のかさつき、小じわ、くま、くすみ等の改善のために、肌に化粧料（薬剤）を塗布した後シート状発熱体を顔面に装着し、あるいは化粧料が予め配合されているシート状発熱体を顔面に装着し、発熱体から生じる熱を利用して、化粧料の肌への浸透を促進させ技術が提案されている。
【０００３】
特許文献１には、美顔用化粧用材を効率良く吸収させ、皮膚を健やかに保つため、肌と接する粘着層に美願用化粧用材が配合される美顔用粘着性発熱シートが記載されている。また、本出願人は、先に、互いに分離可能なシート状化粧料とシート状発熱具とを備える温熱化粧具を提案した（特許文献２参照）。
【先行技術文献】
【特許文献】
【０００４】
【特許文献１】特開平１１−２９９８１７号公報
【特許文献２】特開２００８−２００４３５号公報
【発明の概要】
【発明が解決しようとする課題】
【０００５】
ところで、この種の温熱化粧具には、使用者が薬剤の種類や量を選択・調整して施用したいという要求がある。しかし、特許文献１では、化粧用材（薬剤）は予め粘着層に配合されているので、その他の薬剤を自由に配合することはできず、粘着層には高い含有率で薬剤を配合するのは困難である。また、柔らかさなどの使用感が十分でない場合もある。
【０００６】
一方、特許文献２に記載の温熱化粧具によれば、シート状化粧料とシート状発熱具は分離可能であることから、別の肌当接用のシートに自由に薬剤を含浸させたものを準備して使用することができる。しかし、使用者が別のシートを準備した場合、シート全体に薬剤を均一に供給しにくい場合があり、また均一にしようとして不必要に大量の薬剤を供給してしまいがちである。また、特許文献２では、シート状化粧料とシート状発熱具とを一体化しないことで身体への追従性を向上させているが、シート状化粧料の種類によっては身体との密着性が悪く使用中に落下したり、別体では取り扱いが面倒な場合もある。
【０００７】
したがって本発明の課題は、前述した欠点を解消し得る顔用温熱具を提供することにある。
【課題を解決するための手段】
【０００８】
本発明は、扁平状の発熱体と、該発熱体の両面を含む全体を被覆する被覆材と、該被覆材の一面の外面に配された繊維材料を含む薬剤保持用シートとを備えており、前記被覆材と前記薬剤保持用シートとは、前記発熱体上において、多数の接合部にて接合されている顔用温熱具を提供することにより、前記課題を解決したものである。
【発明の効果】
【０００９】
本発明の顔用温熱具は、取り扱いが容易で、また、使用者が薬剤を自由に選択し、肌当接用のシートに薬剤を均一に供給可能とすることができる。また、本発明の顔用温熱具は、柔らかく、使用感を更に高めることができる。
【図面の簡単な説明】
【００１０】
【図１】図１は、本発明の実施形態の顔用温熱具を一対設けた顔用温熱マスクの肌当接面側の平面図である。
【図２】図２は、図１に示す顔用温熱マスクにおける右側の本実施形態の顔用温熱具の平面図である。
【図３】図３は、図２のＬ１−Ｌ１線断面図である。
【図４】図４は、図１に示す顔用温熱マスクの使用方法の説明図である。
【図５】図５は、図２の顔用温熱具の有する薬剤保持用シートの平面図である。
【図６】図６は、図３の要部拡大断面図である。
【図７】図７は、本発明の別の実施形態を示す断面図（図３相当図）である。
【発明を実施するための形態】
【００１１】
以下、本発明の顔用温熱具について、その好ましい実施形態に基づき図面を参照しながら説明する。本実施形態の顔用温熱具１は、図１に示すように、顔用温熱マスク１０に配されて使用される。本実施形態の顔用温熱具１は、図２，図３に示すように、扁平状の発熱体２と、発熱体２の両面２ａ，２ｂを含む全体を被覆する被覆材３と、被覆材３の一面３ａの外面に配された繊維材料を含む薬剤保持用シート４とを備えている。顔用温熱マスク１０は、図１に示すように、中心線ＣＬに対して略左右対称に形成されている。従って以下の説明では、左右対称な部分については、主に、右側について説明する。尚、図中に示す「Ｙ」方向とは、中心線ＣＬと平行な方向（縦方向）であり、「Ｘ」方向とは、中心線ＣＬに垂直な方向（幅方向）である。
【００１２】
顔用温熱マスク１０は、図１に示すように、一対の顔用温熱具１，１と、一対の顔用温熱具１Ａ，１Ａを使用者に固定するためのマスク本体１１とを備えている（図４参照）。マスク本体１１は、使用時に使用者の両目の周囲を被覆する横長の形状に形成されている。一対の顔用温熱具１，１それぞれは、図１に示すように、マスク本体１１の肌当接面１１ａにおける使用者の両目それぞれの目元に対応する部分に固定されている。ここで、使用者の「目の周囲」とは、開眼状態における眼瞼裂の外側の領域をいい、眼窩の領域を含み且つそれよりも広い領域を指す。また、「使用者の目元に対応する部分」とは、図１に示すように、マスク本体１１の肌当接面１１ａにおいて、使用者の目頭（図４中の符号Ｅａで示す部分）と目尻（図４中の符号Ｅｂで示す部分）との間の使用者の目の下の部位（図４中の符号Ａで示す部分）から使用者の目尻を含む部位（図４中の符号Ｂで示す部分）に亘る部分に対応する部分を示す。
【００１３】
本実施形態の顔用温熱具１は、平面視して、図２に示すように、丸みを帯びた略逆Ｌ字状の形状をしている。顔用温熱具１は、図２，図３に示すように、扁平状の発熱体２と、発熱体２の両面２ａ，２ｂを含む全体を被覆する被覆材３と、被覆材３の一面３ａの外面に配された薬剤保持用シート４とを備えている。具体的には、図２，図３に示すように、本実施形態の顔用温熱具１は、肌対向側の一面２ａ及び非肌対向側の他面２ｂを有する扁平状の発熱体２と、発熱体２の全体を覆う大きさで、発熱体２を内部に収容する被覆材３と、肌対向側の一面３ａの外面に配され、被覆材３と同形同大の薬剤保持用シート４とを備えている。
【００１４】
また、顔用温熱具１においては、図２，図３に示すように、一面３ａを構成する被覆材３と薬剤保持用シート４とが、発熱体２上において、多数の接合部５，５・・・にて接合されている。多数の接合部５，５・・・は、本実施形態においては、熱エンボスにより形成されており、肌対向側の一面３ａを構成する被覆材３と、薬剤保持用シート４とを熱エンボスによる多数の接合部５，５・・・にて互いに接合している。発熱体２上は、発熱体２の存在する領域を意味する。本実施形態の顔用温熱具１は、熱エンボスにより接合した肌対向側の一面３ａを構成する被覆材３及び薬剤保持用シート４の複合シートと、非肌対向側の他面３ｂを構成する被覆材３とを熱エンボス等の熱融着や接着剤等の接合手段によって互いに接合して形成された環状に閉じた形状の環状接合部６を備えている。環状接合部６は、本実施形態においては、発熱体２の外縁と、被覆材３及び薬剤保持用シート４それぞれの外縁との間に形成されており、顔用温熱具１の外縁が環状接合部６の接合手段によって硬くなって使用者の肌を傷つけないように、顔用温熱具１には、外周全域に未接合部７が設けられている。
尚、顔用温熱マスク１０の左側に配される顔用温熱具１は、丸みを帯びた略Ｌ字状の形状である以外、上述した右側の丸みを帯びた略逆Ｌ字状の形状の顔用温熱具１と同様である。
【００１５】
顔用温熱具１は、Ｙ方向の最も長い長さが６０〜１００ｍｍであり、Ｙ方向の最も短い長さが２０〜５０ｍｍである。また、顔用温熱具１は、Ｘ方向の最も長い長さが６０〜９０ｍｍであり、Ｘ方向の最も短い長さが２０〜４０ｍｍである。環状接合部６の接合幅は、０．５〜３ｍｍである。未接合部７の間隔は、使用者の肌を傷つけない観点から、１ｍｍ以上であることが好ましく、見栄えの観点から、１０ｍｍ以下であることが好ましい。
【００１６】
顔用温熱具１は、その厚みに関しては特に制限されないが、良好な使用感を得る観点からは薄いことが好ましく、０．３〜５ｍｍ、特に０．５〜２ｍｍが好ましい。尚、ここでいう厚みは、顔用温熱具１における発熱体２の存在領域の無荷重下における厚みである。
【００１７】
顔用温熱具１を構成する発熱体２は、図３に示すように、扁平状であり、本実施形態における発熱体２は、その平面視において、図２に示すように、略逆Ｌ字状の形状である。図２に示すように、発熱体２における使用者の目に近い側に配される側部２ｃには、その外縁２ｃ１が目の周囲に沿うように（図４参照）、中央部２ｅに括れ部２１が形成されている。発熱体２の側部２ｃは、本実施形態においては、図２に示すように、略Ｓ字状のカーブを描くように形成されている。本実施形態の顔用温熱具１においては、図２，図４に示すように、顔用温熱具１の使用時に、側部２ｃの括れ部２１が使用者の頬骨Ｃに対応する部位に配され、略逆Ｌ字状の形状の発熱体２が、図４に示すように、Ｘ方向に使用者の目頭Ｅａから目尻Ｅｂに延在して使用者の目の下の部位Ａを覆い、Ｙ方向に使用者の目尻Ｅｂを越えて延在して使用者の目尻を含む部位Ｂを覆うように配される。
尚、顔用温熱マスク１０の左側に配される顔用温熱具１の有する発熱体２は、略Ｌ字状の形状である以外、上述した右側の略逆Ｌ字状の形状の発熱体２と同様である。
【００１８】
発熱体２は、Ｙ方向の長さが５０〜９５ｍｍであり、Ｘ方向の長さが４０〜８５ｍｍである。Ｙ方向の長さとは、Ｙ方向の長さが最も長い位置での長さのことを意味し、Ｘ方向の長さとは、Ｘ方向の長さが最も長い位置での長さのことを意味する。発熱体２は、最も狭い位置での幅が、２〜１０ｍｍであり、最も広い位置での幅が、２５〜５０ｍｍである。
【００１９】
発熱体２は、化学エネルギーを利用して発熱を起こさせる部位である。利用し得る化学エネルギーとしては、被酸化性金属の酸化反応により生じる酸化熱、酸とアルカリの中和熱、無機塩類（塩化カルシウム、塩化マグネシウム、酸化カルシウム、酸化マグネシウム、ゼオライト等）の水和熱などが挙げられる。これらのうち、取り扱い性が良好であることや、発熱量が比較的大きいこと、携帯やコンパクト化が容易であることから、本実施形態においては、被酸化性金属の酸化反応により生じる酸化熱を用いている。
【００２０】
化学エネルギーを利用した発熱体２の具体的な構成は、化学エネルギーの種類に応じて適宜定められる。例えば被酸化性金属の酸化反応により生じる酸化熱を用いる場合には、金属粉（例えば、鉄、アルミニウム、亜鉛、銅等）、触媒となる塩類（例えば、塩化ナトリウム、塩化カリウム等のアルカリ金属の塩化物、塩化カルシウム、塩化マグネシウム等のアルカリ土類金属の塩化物等）、及び水を含有した組成物から構成される。この組成物には、更に保水剤（例えば、バーミキュライト、ケイ酸カルシウム、シリカゲル、シリカ系多孔質物質、アルミナ、パルプ、木紛、吸水ポリマー等）、反応促進剤（例えば、活性炭、カーボンブラック、黒鉛等）等を含有させる。
【００２１】
発熱体２の上記構成成分において、触媒となる塩類に、例えば、塩化ナトリウムを用いる場合には、塩化ナトリウムの濃度と容量との制御により、発熱体２の発熱温度の最高温度に至るまでの時間（立ち上がり時間）を調整することができるため、触媒となる塩類には塩化ナトリウムを用いることが好ましい。具体的には、用いる塩化ナトリウムの容量を制御しても、発熱体２の最高温度自体を大きく変更することはできないが、用いる塩化ナトリウム溶液の濃度を、例えば、５〜１０％の範囲よりも、高い濃度にした場合、又は低い濃度にした場合のいずれも、発熱体２の最高温度が低下し、立ち上がり時間を遅くすることができる。尚、塩化ナトリウム溶液の濃度が３％以下と低すぎる場合には、酸化反応が途中で止まり、最高温度が低化してしまう。また、用いる塩化ナトリウム溶液の濃度が同じ場合には、塩化ナトリウム溶液の容量を多くすれば立ち上がり時間を遅くし、容量を少なくすれば立ち上がり時間を早くすることができる。尚、塩化ナトリウム溶液の容量が少なすぎる場合には、発熱に必要な水分が途中でなくなってしまい、発熱体の最高温度が低下してしまう。このような特性を考慮して、塩化ナトリウムの濃度と容量とを制御すれば、立ち上がり時間をコントロールし、最高温度を維持する時間をコントロールすることができ、使用感を向上させることができる。
【００２２】
上記構成成分を含有する発熱体２は、本実施形態においては、発熱シートの形態となっている。発熱体２が、発熱シートの形態になっているため、取り扱いが容易で、使用中に被酸化性金属等の偏りを防止でき、均一な発熱を行うことができる。発熱シートとしては、湿式抄造により得られたシート状物や、発熱粉体を紙等で挟持してなる積層体等が挙げられる。そのような発熱シートは、例えば本出願人の先の出願に係る特開２００３−１０２７６１号公報に記載の湿式抄造法や、ダイコーターを用いたエクストルージョン法を用いて製造することができる。
【００２３】
顔用温熱具１を構成する被覆材３は、図３に示すように、発熱体２の肌対向側の一面２ａ及び非肌対向側の他面２ｂを含む全体を被覆している。被覆材３は、図３に示すように、肌対向側の一面３ａを構成するシート材と、非肌対向側の他面３ｂを構成するシート材とから形成されている。肌対向側の一面３ａを構成する被覆材３の形状と、非肌対向側の他面３ｂを構成する被覆材３の形状とは、顔用温熱具１の形状を形成するように、丸みを帯びた略逆Ｌ字状の形状である。
【００２４】
肌対向側の一面３ａを構成する被覆材３は、後述する薬剤保持用シート４に保持された薬剤が発熱体２に浸透しないように、非透水性のシート材であることが好ましい。肌対向側の一面３ａを構成する被覆材３が、非透水性のシート材であったとしても、非通気性である必要はなく、用途等に応じて、通気性を有していてもよい。その場合の通気度（ＪＩＳ  Ｐ８１１７Ｂ型で規定、以下、通気度というときにはこの方法の測定値を言う）としては、好ましくは５,０００〜１００，０００ｓｅｃ／１００ｃｃ、更に好ましくは１０，０００〜４０，０００ｓｅｃ／１００ｃｃから適宜選定される。肌対向側の一面３ａを構成する被覆材３が、非透水性のシート材である場合には、メルトブローン不織布や、ＰＥＴ、ＰＰ、ＰＥ等の熱可塑性樹脂からなるフィルムが用いられる。
【００２５】
非肌対向側の他面３ｂを構成する被覆材３は、他面３ｂを透過してきた空気（酸素）が、被覆材３の内部に収容されている発熱体２を構成する被酸化性金属と反応し、それによって発熱が起こる観点から、通気性のシート材であることが好ましい。その場合の通気度（ＪＩＳ  Ｐ８１１７で規定）としては、好ましくは５００〜６０，０００ｓｅｃ／１００ｃｃ、更に好ましくは１５００〜２０，０００ｓｅｃ／１００ｃｃから適宜選定される。通気性のシート材としては、各種不織布、紙、または熱可塑性樹脂からなるフィルムがあげられ、その中でもＰＥＴ、ＰＰ、ＰＥ等の熱可塑性樹脂と無機フィラーとを溶融混練して押し出した溶融物をフィルム状に成形し、成形されたフィルムを一軸又は二軸延伸することで製造されフィルムが好ましく用いられる。
【００２６】
顔用温熱具１を構成する薬剤保持用シート４は、図３に示すように、肌対向側の一面３ａを構成する被覆材３の外面に配されている。薬剤保持用シート４は、本実施形態においては、肌対向側の一面３ａ及び非肌対向側の他面３ｂを構成する被覆材３と同形同大である。薬剤保持用シート４は、使用時に使用者が供給する薬剤を保持するシートである。薬剤保持用シート４は、図３に示すように、本実施形態においては、肌対向側の一面３ａを構成する被覆材３の外面に熱エンボスにより接合されている。
【００２７】
繊維材料を含む薬剤保持用シート４としては、柔軟性や伸縮性を有する材料からなる繊維シートを用いることが、使用者の肌に優しい観点から好ましい。そのような材料としては、紙や各種不織布を挙げることができ、各種不織布の具体例としては、例えばエアスルー不織布、スパンボンド不織布、スパンレース不織布、メルトブローン不織布、これらの不織布の複合材料、これらの不織布とフィルムとの複合材料などが挙げられる。後述する被覆材３を構成するシート材と薬剤保持用シート４との接合部５が、本実施形態のように、熱エンボスにより形成される場合には、特に、少量の熱融着性繊維をコットンに混綿したスパンレース不織布を用い、接合部５が接着剤により形成される場合には、特に、コットン１００％のスパンレース不織布を用いることが、使用者の肌に優しい観点から好ましい。薬剤保持用シート４の坪量は、使用者が供給する薬剤の供給量や取り扱い性等を考慮して決定され、例えば２０〜２００ｇ／ｍ2、特に４０〜１２０ｇ／ｍ2であることが好ましい。
【００２８】
薬剤保持用シート４は、その構成繊維の配向方向（図５参照）が、顔用温熱具１の幅の最も広い位置を通る仮想直線Ｌ（図２参照）の傾斜方向と略一致していることが好ましく、顔用温熱具１の有する発熱体２の幅の最も広い位置を通る仮想直線（本実施形態においては上記仮想直線Ｌと同じ位置）の傾斜方向と略一致していることが更に好ましい。このように配向した繊維からなる薬剤保持用シート４を有することにより、使用者により使用時に供給される薬剤を、構成繊維の配向方向、即ち、顔用温熱具１の幅の最も広い位置を通る仮想直線Ｌ（図２参照）の傾斜方向へ優先的に拡散させることができる。特に、顔用温熱具１の有する発熱体２の幅の最も広い位置を通る仮想直線の傾斜方向へ優先的に拡散させることにより、発熱体２から付与される熱が有効に薬剤保持用シート４に伝わり易くなる。
【００２９】
薬剤保持用シート４の構成繊維の配向方向は、構成繊維の始点と終点とを結んだベクトルが、顔用温熱具１の幅の最も広い位置を通る仮想直線Ｌ（発熱体２の幅の最も広い位置を通る仮想直線）の傾斜方向に略一致していればよく、始点と終点との間でねじれや絡み合い等が生じていることに起因して構成繊維の一部が薬剤保持用シート４の厚み方向に向いていても、構成繊維が全体として仮想直線Ｌ（発熱体２の幅の最も広い位置を通る仮想直線）の傾斜方向に向いていればよい。
【００３０】
薬剤保持用シート４の構成繊維の配向度は、好ましくは１．２以上、更に好ましくは１．４以上である。配向度の上限値は、特に制限されるものではなく高いほど好ましい。構成繊維の配向度は、KANZAKI社のMicrowave  molecular  orientation  analyzer  MOA-2001Aを用いて測定する。測定サンプルのサイズは縦方向（Ｙ方向）に５０ｍｍ、幅方向（Ｘ方向）に５０ｍｍの矩形とし、３点の平均値を配向度とする。測定サンプルのサイズがこの大きさに満たない場合は、複数の測定サンプルを互いに重ならないように配して測定する。
薬剤保持用シート４の構成繊維の配向度が大きいと、薬剤保持用シート４の外面から構成繊維の配向方向を視認し易くなり（シートの模様が見える）、仮想直線Ｌ（発熱体２の幅の最も広い位置を通る仮想直線）の傾斜方向と構成繊維の配向方向とを略同じ方向に合わせ易くなる。
【００３１】
顔用温熱具１においては、図２，図３に示すように、被覆材３の一面３ａを構成するシート材と薬剤保持用シート４とが、発熱体２上において、多数の接合部５，５・・・にて接合されている。多数の接合部５，５・・・は、本実施形態においては、熱エンボスにより形成されている。多数の接合部５，５・・・の形状としては、特に制限はなく、例えば、点ドット、亀甲、格子、縦縞、横縞、編み目、絵柄等、またその組み合わせ模様等が挙げられる。多数の接合部５，５・・・の接合面積率は、顔用温熱具１の薬剤保持用シート４全体に対して、薬剤のシートへ含浸性及び薬液の保持を高める観点、並びに肌触り及びシートの柔らかさ観点から３〜５０％であるのが好ましく、５〜３０％であるのが更に好ましい。
ここで、「接合面積率」とは、一面３ａを構成する被覆材３と薬剤保持用シート４とを接合する多数の接合部５，５・・・の総面積を求め、その総面積の薬剤保持用シート４全体の面積に対する比、又はその総面積の発熱体２の一面２ａ全体の面積に対する比を意味する。
【００３２】
本実施形態の顔用温熱具１においては、図２に示すように、多数の接合部５，５・・・のそれぞれ形状は、菱形状であり、多数の接合部５，５・・・は、規則的に散点状に配されている。具体的には、多数の接合部５，５・・・は、図２に示すように、等間隔を空けて多数の接合部５，５・・・からなる群５０を形成し、隣り合う多数の接合部５，５・・・からなる群５０同士を、前記間隔を空けて等間隔に配して、規則的に散点状に配されている。多数の接合部５，５・・・が配されて形成される群５０は、Ｘ方向に平行な直線に対する傾斜角度αが、２５〜７５°であることが好ましく、３０〜６０°であることが更に好ましい。尚、多数の接合部５，５・・・が配されて形成される群５０の傾斜方向は、顔用温熱具１の幅の最も広い位置を通る仮想直線Ｌと略一致することが更に好ましく、発熱体２の幅の最も広い位置を通る仮想直線の傾斜方向と略一致することが特に好ましい。本実施形態においては、接合部５の形状が、菱形状の点ドットであるが、円状、楕円状、その他の多角形状等からなる点ドットの場合も同様である。
【００３３】
顔用温熱具１の使用時に、使用者により薬剤保持用シート４に供給される薬剤としては、化粧水や美容液等が挙げられ、その剤状は流動性を有しているものであれば特に限定されず、水系の液体、乳化物、ゲル、クリーム、ワセリン等種々のものが挙げられる。薬剤の組成も特に限定されず、任意のものを使用できる。また薬剤は水性であっても良く、油性であっても良い。薬剤の含有成分としては、例えば、経皮吸収されて真皮引き締め、美白、血行促進、脂肪分解促進、抗炎症等の効果を発現する物質が挙げられる。具体的には、植物抽出物、動物抽出物、グアニジン誘導体、カテコールアミン類、アミノ酸、ビタミン類、ホルモン、有機酸、天然抽出のスフィンゴシン誘導体、合成セラミド類似体等が挙げられる。
【００３４】
上述したように、本実施形態の顔用温熱具１は、図１に示すように、顔用温熱マスク１０を構成するマスク本体１１の使用者の肌当接面１１ａに、且つ後述するマスク本体１１の使用者の両目に対応する開口部１２それぞれの開口周縁に沿うように配されて使用される。顔用温熱具１は、発熱体２の発熱に必要な酸素の供給を妨げず、熱伝達も妨げず、熱による接着手段の物性変化を防止する観点から、非肌対向側の他面３ｂを構成する被覆材３における未接合部７において、熱融着や接着剤等の公知の接合手段によってマスク本体１１に固定されていることが好ましい。
【００３５】
マスク本体１１は、略扁平状の１枚のシート材から形成されており、使用時に使用者の両目の周囲を覆うに足る形状及び大きさを有している。より具体的には、マスク本体１１は、図１に示すように、Ｙ方向において、顔の額（眉）から鼻尖にかけての部位を被覆し、Ｘ方向において、両頬間の部位を被覆するような大きさ及び形状をしている（図４参照）。使用者の両目それぞれに対応する部分は切り抜かれて開口部１２，１２が形成されており、また、使用者の鼻に対応する部分は切り欠かれて切り欠き部１３が形成されている。扁平状のマスク本体１１は、使用者の肌に当接する肌当接面１１ａ及びそれと反対側に位置する非肌当接面１１ｂを有している。
【００３６】
マスク本体１１は、使用時に耳を掛ける一対の耳掛け部１４，１４を有している。耳掛け部１４は、マスク本体１１に配される顔用温熱具１よりもＸ方向外方に延出する延出部において、使用者の耳の位置に対応する部分を切り抜いて形成されている。耳掛け部１４の切り抜いた開口部に耳を通すことにより、顔用温熱マスク１０を、両目の周囲を覆うように、使用者の顔面に固定することができる。
【００３７】
マスク本体１１は、使用者の顔面にフィットする観点から、Ｘ方向に伸長性を有していることが好ましい。ここで、マスク本体１１が伸長性を有しているとは、マスク本体１１全体が伸長性を有している場合、及びマスク本体１１の一部（例えば、耳掛け部１４）のみが伸長性を有している場合の両方の場合を含む。
【００３８】
マスク本体１１の厚み（無荷重下における厚み）は、特に制限されないが、良好な使用感を得る観点からは薄いことが好ましく、０．３〜５ｍｍ、特に０．５〜２ｍｍが好ましい。
【００３９】
マスク本体１１を構成するシート材としては、通気性及び伸長性を有しているものが好ましく、特に通気性及び伸縮性を有しているものが好ましい。具体的には、例えばスパンレース不織布、ニードルパンチ不織布、エアスルー不織布、伸縮性を有するスパンボンド不織布等が挙げられる。マスク本体１１を構成するシート材の坪量は、肌触りの観点から、５０〜３００ｇ／ｍ2であることが好ましい。
【００４０】
以上のように構成された本実施形態の顔用温熱具１を備える顔用温熱マスク１０は、使用前は、一対の顔用温熱具１，１が互いに重なるように、中心線ＣＬにて二つ折りされた状態で、酸素バリア性を有する包装材（図示せず）に包装されており、顔用温熱具１の発熱体２が空気中の酸素と接触しないようになっている。酸素バリア性の材料としては、例えば、その酸素透過係数（ＡＳＴＭ  Ｄ３９８５）が１０ｃｍ3・ｍｍ／（ｍ2・ｄａｙ・ＭＰａ）以下、特に２ｃｍ3・ｍｍ／（ｍ2・ｄａｙ・ＭＰａ）以下のものが好ましい。具体的には、エチレン−ビニルアルコール共重合体やポリアクリロニトリル等のフィルムや、そのようなフィルムにセラミック若しくはアルミニウム等を蒸着したフィルムが挙げられる。
【００４１】
以上の構成を有する本実施形態の顔用温熱具１の使用方法について説明する。
顔用温熱具１を備える顔用温熱マスク１０を、酸素バリア性を有する包装材から取りだし、二つ折りされた顔用温熱マスク１０を開く。次に、使用者が、使用者自ら選んだ薬剤を、一対の顔用温熱具１，１それぞれの薬剤保持用シート４に供給する。次に、一対の顔用温熱具１，１それぞれの薬剤保持用シート４が、使用者の肌に当接するように、顔用温熱マスク１０の耳掛け部１４の切り抜いた開口部に耳を通すことにより、顔用温熱マスク１０を、両目の周囲を覆うように、使用者の顔面に固定して使用する。
【００４２】
本実施形態の顔用温熱具１は、図１に示すように、マスク本体１１の肌当接面１１ａにおける使用者の両目それぞれの目元に対応する部分であって、マスク本体１１の開口部１２それぞれの開口周縁に沿うように配されている。従って、耳掛け部１４により、顔用温熱マスク１０を、両目の周囲を覆うように、使用者の顔面に固定すると、顔用温熱具１の発熱体２は、図４に示すように、顔用温熱具１の使用時に、使用者の目の下の部位Ａから使用者の目尻を含む部位Ｂに亘って配され、側部２ｃの括れ部２１が、使用者の頬骨Ｃに対応する部位に配される。
【００４３】
以上の構成を有する本実施形態の顔用温熱具１の作用効果について説明する。
顔用温熱具１は、発熱体２の全体が被覆材３により覆われているので、取り扱いが容易で、また、顔用温熱具１は、使用者が薬剤を自由に選択でき、被覆材３の一面３ａと薬剤保持用シート４とが、多数の接合部５，５・・・にて接合されているので、薬剤保持用シート４の全面に粗密勾配が発生しており、一部に薬剤が滞留することなく、すばやく薬剤保持用シート４全体に薬剤が拡散され、肌当接用のシートに薬剤を均一に供給可能とすることができる。上述したように、顔用温熱具１の使用時には、図４に示すように、薬剤が保持された薬剤保持用シート４が使用者の目元に当接されて使用されるので、発熱体２から付与される熱が薬剤保持用シート４に伝わって、薬剤保持用シート４に保持されている薬剤の有効成分が使用者の目元の皮膚に浸透し易くなる。また発生した熱が使用者の肌にも伝わって毛穴が開き、それによっても薬剤保持用シート４に保持されている薬剤の有効成分が使用者の肌に浸透し易くなる。
【００４４】
また、被覆材３の一面３ａを構成するシート材と薬剤保持用シート４とが、図２に示すように、多数の接合部５，５・・・にて接合されているので、被覆材３の一面３ａを構成するシート材と薬剤保持用シート４とを全面ベタで接合する場合に比べ、薬剤保持用シート４の柔らかさを損ない難く、使用感を更に高めることができる。この効果と共に、発熱体２上において、被覆材３の一面３ａを構成するシート材と薬剤保持用シート４とが多数の接合部５，５・・・にて接合されているので、発熱体２から付与される熱が薬剤保持用シート４に伝わり易く、使用感を更に高めることができる。
【００４５】
また、顔用温熱具１は、多数の接合部５，５・・・が、熱エンボスにより形成されているので、図６に示すように、熱エンボスにより形成された接合部５の周囲の構成繊維の密度が高くなり、薬剤保持用シート４の面方向に構成繊維の疎な部分と密な部分が形成される。このように、薬剤保持用シート４の面方向に構成繊維の疎な部分と密な部分（接合部５の周囲の部分）が形成されるので、使用時に使用者が供給した薬剤を保持することができ、平面方向へ薬剤を拡散することができる。特に、熱エンボスにより形成された多数の接合部５，５・・・が、規則的に散点状に配されているので、使用者が供給した薬剤を各接合部５にて略均等に保持することができ、薬剤の有効成分が使用者の肌にバラツキなく浸透し易くなる。
【００４６】
本発明の顔用温熱具は、上述の実施形態の顔用温熱具に何ら制限されるものではなく、適宜変更可能である。例えば、上述の実施形態の顔用温熱具１においては、図１に示すように、顔用温熱マスク１０に配されて使用されるが、使用者の両目それぞれの目元に直接配して使用してもよい。直接配して使用する場合には、図７に示す顔用温熱具１Ｂのように、発熱体２の発熱に必要な酸素の供給を妨げず、熱伝達も妨げず、熱による接着手段の物性変化を防止する観点から、肌対向側の一面３ａを構成する被覆材３における未接合部７に、粘着剤８を配することが好ましい。粘着剤８は、使用者の顔に固定する固定手段としての働きを有するものである。粘着剤８としては、例えば、ホットメルト接着剤を用いることができる。ホットメルト接着剤は、一般的に、粘着基剤、粘着付与樹脂及び軟化剤を構成成分として含有している。
【００４７】
また、上述の実施形態の顔用温熱具１においては、多数の接合部５，５・・・が、熱エンボスにより形成されているが、ホットメルト接着剤により形成されていてもよい。ホットメルト接着剤は、一般的に、粘着基剤、粘着付与樹脂及び軟化剤を構成成分として含有している。
【００４８】
また、上述の実施形態の顔用温熱具１においては、被覆材３の一面３ａと薬剤保持用シート４とは、発熱体２上において、多数の接合部５，５・・・にて接合されているが、発熱体２の外方であって、且つ環状接合部６の外方においても、多数の接合部５，５・・・にて接合されていてもよい。
【００４９】
また、上述の実施形態の顔用温熱具１においては、図２に示すように、平面視した形状が、丸みを帯びた略逆Ｌ字状の形状であるが、この形状に限らない。同様に、上述の実施形態の顔用温熱具１を構成する発熱体２は、図２に示すように、平面視した形状が、略逆Ｌ字状の形状であるが、この形状に限らない。
また、上述の実施形態の顔用温熱具１においては、図２に示すように、肌対向側の一面３ａを構成する被覆材３、非肌対向側の他面３ｂを構成する被覆材３、及び薬剤保持用シート４は、同形同大であるが、同形同大でなくてもよい。
【００５０】
また、上述の実施形態の顔用温熱具１は、図４に示すように、目元に配して使用する目元用温熱具であるが、本発明の顔用温熱具は目元用に限定されず、顔面の所望の部位に熱を付与するように適宜設計可能であり、例えば、小顔になるために顎に配して使用する顎用温熱具であってもよい。
【００５１】
また、顔用温熱具１は、両面を肌対向可能な面として、一面３ａだけでなく、被覆材３の他面３ｂの外面にも薬剤保持用シート４を多数の接合部５にて接合してもよい。
【符号の説明】
【００５２】
１，１Ｂ  顔用温熱具
２  発熱体
２ａ  発熱体の肌対向側の一面，２ｂ  発熱体の非肌対向側の他面
２ｃ  発熱体の目に近い側に配される側部
２ｃ１  外縁
２ｅ  発熱体の中央部
２１  括れ部
３  被覆材
３ａ  被覆材の肌対向側の一面
３ｂ  被覆材の非肌対向側の他面
４  薬剤保持用シート
５  接合部
５０  多数の接合部５，５・・・が配されて形成される群
６  環状接合部
７  未接合部
８  粘着剤
１０  顔用温熱マスク
１１  マスク本体
１１ａ  マスク本体の肌当接面，１１ｂ  マスク本体の非肌当接面
１２  開口部
１３  切り欠き部
１４  耳掛け部
【図１】
0005714296.tif 000002
【図２】
0005714296.tif 000003
【図３】
0005714296.tif 000004
【図４】
0005714296.tif 000005
【図５】
0005714296.tif 000006
【図６】
0005714296.tif 000007
【図７】
0005714296.tif 000008